(57)【要約】      （修正有）【課題】損傷からの電子装置の防護を提供する。【解決手段】上部１０ａ及び底部１０ｂは、電子装置Ｐと接触する折りかばん１０内側のフェルトなどの軟質層１１、革などの耐久性のある外側層、ならびにカバーの上部及び底部に構造的支持をもたらす堅い中間層からなる３層積層構造を備える。背部１０ｃは、開閉時の曲げやすさを維持するように、軟質層及び外側層の２層しか備えない。折りかばんは、折り曲げをさらに容易にする長手方向の折り目１４、１５、１６を備える。折り目は、中間層における不連続部によって作り出される。【選択図】図１
2012044138.tif 000002
【特許請求の範囲】
【請求項１】
概ね長方形の電子装置用のプロテクタにおいて、
（ａ）４つ脚フレームと、
（ｂ）互いに関連してＸ字形構成に向けられた前記フレームの４本の脚と、
（ｃ）前記４本の脚のそれぞれと一体になった、角に係合する弓状に曲った弾性ラグとを備えた、プロテクタ。
【請求項２】
請求項１に記載のプロテクタにおいて、
前記フレームは、前記脚が互いに交差した、Ｘ字形である、プロテクタ。
【請求項３】
請求項２に記載のプロテクタにおいて、
前記フレームは、前記脚が互いに交差した、くもの巣状である、プロテクタ。
【請求項４】
請求項１に記載のプロテクタにおいて、
前記フレームは、前記脚がそこから径方向外方に向けられた、Ｏ字形である、プロテクタ。
【請求項５】
請求項４に記載のプロテクタにおいて、
前記Ｏ字形フレームは概ね長方形である、プロテクタ。
【請求項６】
請求項２乃至５のいずれか１項に記載のプロテクタにおいて、
折り返し式折りかばんに組み込まれた、プロテクタ。
【請求項７】
請求項６に記載のプロテクタにおいて、
前記折りかばんは、上部及び底部を有し、前記上部及び前記底部には角がある、プロテクタ。
【請求項８】
請求項７に記載のプロテクタにおいて、
前記上部及び前記底部は、（ｉ）軟質内側層、（ｉｉ）耐久性のある外側層、及び（ｉｉｉ）堅い中間層からなる３層を備えた、プロテクタ。
【請求項９】
請求項８に記載のプロテクタにおいて、
前記上部及び前記底部の前記角に固定されたリバーシブル伸縮性ストラップをさらに備えた、プロテクタ。
【請求項１０】
請求項９に記載のプロテクタにおいて、
前記上部の内側に固定された伸縮性ストラップをさらに備えた、プロテクタ。
【請求項１１】
請求項１０に記載のプロテクタにおいて、
前記底部の外側にフラップをさらに備えた、プロテクタ。
【請求項１２】
請求項１１に記載のプロテクタにおいて、
前記上部と一体になったヒンジであって、前記上部が、前記上部の残り部分に対して約９０°の角度まで部分的に開けられるように、かつ、前記フラップと係合することができるようにする、ヒンジをさらに備えた、プロテクタ。
【請求項１３】
概ね長方形の電子装置用のプロテクタにおいて、
（ａ）４本の脚であって、角に係合する弓状に曲った弾性ラグをそれぞれが一体で有する、脚を備え、
（ｂ）前記４本の脚は、平らな概ね長方形の基部に固定された、プロテクタ。
【請求項１４】
請求項１３に記載のプロテクタにおいて、
折り返し式折りかばんに組み込まれた、プロテクタ。
【発明の詳細な説明】
【技術分野】
【０００１】
[0001]本願は、２０１０年８月２０日出願の米国特許出願第１２／８６０，８０８号の一部継続出願であり、３５ＵＳＣ１２０に基づいてその優先権を主張する。
【背景技術】
【０００２】
[0002]電子装置を組み込んだ装置は、過去十年にわたって爆発的に発展してきており、その結果、いわゆる「スマートフォン」、電子書籍リーダ（ｅｌｅｃｔｒｏｎｉｃ  ｒｅａｄｅｒｓ）、ごく最近ではアップル社のｉＰａｄ（登録商標）など、多くの新しい様式の電池式製品が生まれた。全てのそうした装置は、電子部品及び回路の小型化により、比較的軽量で携帯可能である。そうした小さいスケールの１つの欠点は、回路が比較的壊れやすく、そうすると例えば落下によって引き起こされる硬い表面との衝突及び／または湿気への暴露によって損傷を受けることである。したがって、当業界ではそうした損傷からのそのような装置の防護が必要とされている。この要求は本発明によって満たされる。
【先行技術文献】
【特許文献】
【０００３】
【特許文献１】米国特許出願第１２／８６０，８０８号
【発明の概要】
【課題を解決するための手段】
【０００４】
[0003]本発明によれば、損傷からそうした装置を防護しかつ卓上または同様の平面からのそうした装置の操作を支援するいくつかの独自の有用な特徴を有する、携帯型電子装置用のプロテクタが提供される。
【図面の簡単な説明】
【０００５】
【図１】[0004]アップル社のｉＰａｄ（登録商標）などの電子装置Ｐを受けるように開けられている、本発明の例示的なカバーの上面斜視図である。
【図２】[0005]図１の面２−２に沿った断面図である。
【図３】[0006]図１に示されるカバーの外側の上面斜視図である。
【図４】[0007]電子装置Ｐがカバーに挿入されカバーの上部が途中まで開いている、図１のカバーの上面斜視図である。
【図５】[0008]カバーが閉じられ電子装置に覆いかぶさって固定されている、図１のカバーの上面斜視図である。
【図６】[0009]電子装置Ｐがカバーに挿入され、カバーの上部が折り返されてカバーの底部に固定されている、図１のカバーの上面斜視図である。
【図７】[0010]カバーの上部の内側に固定されるハンドストラップの有用性を示す、図６に示される構成の底面斜視図である。
【図８】[0011]電子装置Ｐがカバーに挿入され、電子装置Ｐについてのスタンドを作り出すようにカバーの上部が折り返されて底部の外側にあるフラップに押し込まれている、図１のカバーの上面斜視図である。
【図９】[0012]本発明の他の実施形態の上面斜視図である。
【図１０】[0013]（想像線で示される）電子装置Ｐの背面に取り付けられて示されている本発明の他の実施形態の斜視図である。
【図１１】[0014]折りかばんに取り付けられている、本発明の他の実施形態の上面斜視図である。
【発明を実施するための形態】
【０００６】
[0015]図面を参照すると、図では、電子装置Ｐを受け入れるように設計され、上部１０ａ、底部１０ｂ及び背部１０ｃを有する折り返し式折りかばん１０を含むカバー１が示される。図では、同じ番号は同じ要素の全体を示す。上部１０ａ及び底部１０ｂは、好ましくは、電子装置Ｐと接触する折りかばん内側のフェルトなどの軟質層１１、革などの耐久性のある外側層１２、ならびにカバーの上部及び底部に構造的支持をもたらす堅い中間層１３からなる３層積層構造を備える。背部１０ｃは、開閉時の曲げやすさを維持するように、層１１及び層１２の２層しか備えないことが好ましい。折りかばん１０は、好ましくは、折り曲げをさらに容易にする長手方向の折り目１４、１５、１６を備える。折り目１６は、中間層１３における不連続部によって作り出される。
【０００７】
[0016]カバー１の顕著な特徴は、４つ脚フレームである。フレームは、図１に見られるようなＯ字形２０、図９に見られるようなＸ字形３０、図１０に見られるようなくもの巣状のＸ字形４０、または図１１に見られるような４本の別々の脚２２としてなどの様々な構成であってよい。フレーム２０、３０及び４０に関して、それは、同様に、任意のカバーもしくは折りかばんとは別に独立して使用されてもよく、図１、９に示されるようにそれを例えば底部１０ｂに固定することによってカバーもしくは折りかばんに組み込まれてもよいと理解されたい。図１１に示されるフレームの実施形態について、このフレームの実施形態では、脚２２が底部１０ｂのように実質的に平らな長方形の基部に取り付けられることが必要である。
【０００８】
[0017]フレーム２０は、径方向外方に延在し互いに関連してＸ字形構成に向けられる、フレーム２０と一体になった４本の脚２２を備える。脚２２は、４つの弾性ラグ２４で終端する。弾性ラグ２４は、２組のラグが互いに正反対に置かれ、電子装置Ｐの４つの角を捕えるように弓状に曲った形状をしている。ラグ２４に好ましい材料は、シリコーンゴムである。フレーム２０、３０または４０が図１に示されるようなカバーに固定される場合、ラグ２４は、底部１０ｂに対して定位置に装置Ｐをしっかりと保持する。ラグ２４は、やはりまた、フレーム２０、３０または４０が折りかばんに組み込まれるかどうかにかかわらず、万一電子装置Ｐが硬い表面に打ち当てられるまたは落下した場合、衝撃を吸収する働きもする。
【０００９】
[0018]上部１０ａは、好ましくは、その角に、リバーシブル伸縮性ストラップ４０を備える。ストラップ４０は、図５、６それぞれで最もよく見える閉位置または開位置においてカバー１を固定するように、底部１０ｂの対応する角に固定され得る。好ましくは、そうしたリバーシブルのストラップ４０は、層１１と層１２の間にそれらの端部を縫い付けることによって底部１０ｂに取り付けられる。上部１０ａは、その内面１１上に伸縮性ハンドルストラップ３０をさらに備える。伸縮性ハンドルストラップ３０は、装置Ｐの落下の可能性を低減するようにカバー及び装置Ｐ上における安定した把持を維持するように、使用者によって動作され得る。
【００１０】
[0019]最後に、底部１０ｂは、好ましくは、図８で最もよく見える、構造全体についてのイーゼルまたはスタンドを作り出すように、上部１０ａの外縁が約９０°の角度θに折り目１６に沿って折り返されるときそれを捕えるように設計されるフラップ５０を備える。
【００１１】
[0020]したがって、本発明のプロテクタは、使用者による装置への簡単なアクセスを維持しながら装置を防護するように、これらに限定されないが、「スマートフォン」、電子書籍リーダ、電子プランナ、電子カレンダ及びＡｐｐｌｅ社のｉＰａｄ（登録商標）などの電子タブレットを含む携帯可能な概ね長方形の多種多様などんな電子装置にも固定され得る。
【００１２】
[0021]本明細書で用いられてきた用語及び表現は、ここでは限定でなく説明のための用語として使用され、そうした用語及び表現の使用で、図示され説明される特徴またはその一部の均等物を除外する意図はない。本発明の範囲は、以下の特許請求の範囲によってのみ定義かつ限定されると理解されよう。
【符号の説明】
【００１３】
１  カバー
２  面
１０  折りかばん
１０ａ  上部
１０ｂ  底部
１０ｃ  背部
１１  軟質層、内面
１２  外側層
１３  中間層
１４  折り目
１５  折り目
１６  折り目
２０  フレーム
２２  脚
２４  ラグ
３０  ハンドルストラップ、フレーム
４０  ストラップ、フレーム
５０  フラップ
Ｐ  電子装置
【図１】
2012044138.tif 000003
【図２】
2012044138.tif 000004
【図３】
2012044138.tif 000005
【図４】
2012044138.tif 000006
【図５】
2012044138.tif 000007
【図６】
2012044138.tif 000008
【図７】
2012044138.tif 000009
【図８】
2012044138.tif 000010
【図９】
2012044138.tif 000011
【図１０】
2012044138.tif 000012
【図１１】
2012044138.tif 000013
【外国語明細書】
2012044138000001.pdf